(57)【要約】【課題】一方の光信号通信装置から他方の光信号通信装置へ通信信号を光信号として伝送する光信号伝送システムで、簡易な構成により、異常の通知や制御指示の通知を行う。【解決手段】一方の光信号通信装置１では、通知信号出力手段１１、１２が他方の光信号通信装置２に対する所定の要求が発生した場合に通信信号の周波数とは異なる所定の周波数を有する通知信号を出力し、光信号送信手段１３が通信信号と通知信号とが重畳された信号を光信号として他方の光信号通信装置２に対して送信する。他方の光信号通信装置２では、光信号受信手段２１が一方の光信号通信装置１から送信される光信号を受信し、通知信号抽出手段２２、２３が受信される光信号から所定の周波数を有する通知信号を抽出する。【選択図】      図１
2004193918.tif 000002
【特許請求の範囲】
【請求項１】
一方の光信号通信装置から他方の光信号通信装置へ通信信号を光信号として伝送する光信号伝送システムにおいて、
一方の光信号通信装置は、他方の光信号通信装置に対する所定の要求が発生した場合に通信信号の周波数とは異なる所定の周波数を有する通知信号を出力する通知信号出力手段と、通信信号と通知信号出力手段により出力される通知信号とが重畳された信号を光信号として他方の光信号通信装置に対して送信する光信号送信手段と、を備え、
他方の光信号通信装置は、一方の光信号通信装置から送信される光信号を受信する光信号受信手段と、光信号受信手段により受信される光信号から所定の周波数を有する通知信号を抽出する通知信号抽出手段と、を備えた、
ことを特徴とする光信号伝送システム。
【発明の詳細な説明】
【０００１】
【発明の属する技術分野】
本発明は、一方の光信号通信装置から他方の光信号通信装置へ通信信号を光信号として伝送する光信号伝送システムに関し、特に、簡易な構成により、一方の光信号通信装置から他方の光信号通信装置へ異常を通知することや制御の指示を通知することを行う光信号伝送システムに関する。
【０００２】
【従来の技術】
例えば、携帯電話やページャ等の移動体通信のシステムでは、携帯電話端末やページャ端末等の端末装置へ向けて電波を送信するために、或いは、端末装置から電波を受信するために、無線周波数（ＲＦ：Ｒａｄｉｏ  Ｆｒｅｑｕｅｎｃｙ）帯の信号を増幅する増幅器を含む無線信号増幅装置が用いられている。
【０００３】
また、このようなシステムにおいては、例えばトンネル、地下街、地下鉄の駅或いはホーム、ビルの中などのように電波が届きにくい場所（不感地）では無線通信を行うことができない。このような無線通信の不感地に対する対策として、光ファイバケーブルを用いた光変換型無線信号中継増幅装置が用いられている。この光変換型無線信号中継増幅装置は、光ファイバが細径であることや光ファイバの伝送損失が小さいことなどの利点を生かして、無線通信の不感地まで光回線により無線信号を長距離伝送することを特徴とする装置である。
【０００４】
図３には、光変換型無線中継増幅装置の一般的な構成例を示してある。
本例では、変復調装置との間で信号を送受信する装置を親局装置と言い、電波の不感地に対して設けられて端末装置との間で信号を送受信する装置を子局装置と言う。また、親局装置から子局装置への方向を下りと言い、子局装置から親局装置への方向を上りと言う。
【０００５】
同図には、親局装置３１と子局装置３２とを下りの光ファイバケーブル３３及び上りの光ファイバケーブル３４を用いて接続した光変換型無線中継増幅装置の構成例を示してある。この構成では、親局装置３１と子局装置３２とが双方向で光伝送を行う光信号伝送システムが実現されている。
【０００６】
親局装置３１には、下り通信用の処理部として、帯域通過フィルタ（ＢＰＦ：Ｂａｎｄ  Ｐａｓｓ  Ｆｉｌｔｅｒ）４１と、増幅器４２と、電気−光変換器（Ｅ／Ｏ）４３が備えられており、上り通信用の処理部として、光−電気変換器（Ｏ／Ｅ）４４と、増幅器４５と、帯域通過フィルタ（ＢＰＦ）４６が備えられている。
【０００７】
子局装置３２には、下り通信用の処理部として、光−電気変換器（Ｏ／Ｅ）５１と、増幅器５２と、帯域通過フィルタ（ＢＰＦ）５３が備えられており、上り通信用の処理部として、帯域通過フィルタ（ＢＰＦ）５４と、増幅器５５と、電気−光変換器（Ｅ／Ｏ）５６が備えられている。
また、親局装置３１のＥ／Ｏ４３と子局装置３２のＯ／Ｅ５１とが下りの光ファイバケーブル３３を介して接続されており、親局装置のＯ／Ｅ４４と子局装置３２のＥ／Ｏ５６とが上りの光ファイバケーブル３４を介して接続されている。
【０００８】
下り通信の動作例を説明する。
まず、変復調装置（図示せず）からの無線信号（ＲＦ信号）である下り信号が、アンテナ或いはケーブル（図示せず）により、親局装置３１に入力される。親局装置３１に入力された下り信号は、本例の光変換型無線中継増幅装置が対象としている周波数帯域のみを通過させるＢＰＦ４１を通過した後に、増幅器４２により適当な大きさに増幅され、Ｅ／Ｏ４３により電気信号から光信号へ変換される。ここで、変調方式としては、一般には、光信号を搬送波としてＲＦ信号により光強度の直接変調を行うアナログ光変調が用いられる。
【０００９】
そして、ＲＦ信号である下り信号により変調された光信号は、下りの光ファイバケーブル３３へ送出されて、子局装置３２において、Ｏ／Ｅ５１により元の電気信号の形へ変換された後に、増幅器５２により適当な大きさまで増幅され、ＢＰＦ５３を通過して、アンテナ或いはケーブル（図示せず）により端末装置（図示せず）に向けて出力される。
【００１０】
上り通信の動作例を説明する。
まず、端末装置（図示せず）からの無線信号（ＲＦ信号）である上り信号が、アンテナ或いはケーブル（図示せず）により、子局装置３２に入力される。子局装置３２に入力された上り信号は、本例の光変換型無線中継増幅装置が対象としている周波数帯域のみを通過させるＢＰＦ５４を通過した後に、増幅器５５により適当な大きさに増幅され、Ｅ／Ｏ５６により電気信号から光信号へ変換される。ここで、変調方式としては、一般には、光信号を搬送波としてＲＦ信号により光強度の直接変調を行うアナログ光変調が用いられる。
【００１１】
そして、ＲＦ信号である上り信号により変調された光信号は、上りの光ファイバケーブル３４へ送出されて、親局装置３１において、Ｏ／Ｅ４４により元の電気信号の形へ変換された後に、増幅器４５により適当な大きさまで増幅され、ＢＰＦ４６を通過して、アンテナ或いはケーブル（図示せず）により変復調装置（図示せず）に向けて出力される。
【００１２】
また、上記図３に示したような光変換型無線中継増幅装置では、親局装置３１と子局装置３２との間で、装置の動作状態に関する監視や制御が行われる。
図４を参照して、このような監視制御を行うための信号伝送方式を説明する。
同図には、親局装置３１と子局装置３２について、上記図３に示した各処理部４１〜４６、５１〜５６と共に、監視制御を行うための処理部６１、６２、７１、７２を示してある。
【００１３】
具体的には、親局装置３１にはＣＰＵ（Ｃｅｎｔｒａｌ  Ｐｒｏｃｅｓｓｉｎｇ  Ｕｎｉｔ）６１とモデム（ＭＯＤＥＭ）６２が備えられており、同様に、子局装置３２にはＣＰＵ７２とモデム（ＭＯＤＥＭ）７１が備えられている。そして、各装置３１、３２では、ＣＰＵ６１、７２により、各装置３１、３２における監視制御を一括して行っている。
【００１４】
監視制御の動作例を説明する。
一方の装置（親局装置３１、或いは、子局装置３２）から通信相手となる他方の装置（子局装置３２、或いは、親局装置３１）へ監視制御に関する情報（監視制御情報）を伝送する場合には、一方の装置３１、３２では、ＣＰＵ６１、７２が監視制御の状態を通報する送信データを出力し、当該送信データの信号を用いてモデム６２、７１が変調を行い、当該変調により得られた変調信号（監視制御情報の変調信号）をＥ／Ｏ４３、５６の駆動電流に対して直接的に重畳することにより、Ｅ／Ｏ４３、５６から出力される光信号が光ファイバケーブル３３、３４中を伝送する。
【００１５】
一方、当該光信号を受信する側となる他方の装置３２、３１では、Ｏ／Ｅ５１、４４により得られる電流から重畳信号（監視制御情報の変調信号）を直接的に取り出し、取り出した重畳信号をモデム７１、６２が元のデータ信号へ復調し、当該復調結果をＣＰＵ７２、６１に取り込むことにより、通信相手となる一方の装置３１、３２の監視制御状態を認識することができる。
【００１６】
なお、光伝送システムに関する他の従来技術の例を示す。
従来の光伝送システムでは、親装置と子装置との間でＲＦ主信号を光伝送路を介して光伝送するに際して、例えば常に、当該ＲＦ主信号とは異なる監視信号を親装置と子装置との間で光伝送路を介して伝送し、親装置が当該伝送される監視信号のレベルの低下を検出することにより、光伝送路の異常を検出することが行われている（例えば、特許文献１、２参照。）。
【００１７】
具体的には、従来の光伝送システムでは、親装置が下り光ファイバを介して子装置へ監視光信号を送信し、子装置が親装置から受信した監視光信号を上り光ファイバを介して親装置へ送信（返送）し、親装置が子装置から受信した光信号のレベルや当該光信号に含まれる監視光信号のレベルに基づいて下り光ファイバや上り光ファイバの異常を検出することが行われている（例えば、特許文献１参照。）。
【００１８】
また、具体的には、従来の光伝送システムでは、親局と複数の子局との間で光伝送を行うに際して、各子局が各子局毎に相異なる周波数の重畳信号を発振して当該重畳信号とＲＦ主信号とを周波数多重化し、当該周波数多重化信号を光信号に変換して光伝送路を介して親局へ送信し、親局が光伝送路を介して受信した光信号から各子局毎の重畳信号を抽出することができない場合つまり当該重畳信号が消失した場合には光伝送に関する障害が発生したことを検出することが行われている（例えば、特許文献２参照。）。
【００１９】
また、この光伝送システムでは、ＲＦ主信号の周波数帯域と比べて低い周波数を有する重畳信号を用いると、例えば、発光素子の動作を安定させることや、伝送路中における反射等に起因する伝送特性の劣化を抑制することができて好ましい（例えば、特許文献２参照。）。
【００２０】
【特許文献１】
特開２０００−９１９９３号公報
【特許文献２】
特開平１１−８５８９号公報
【００２１】
【発明が解決しようとする課題】
しかしながら、例えば上記図４に示したような従来の光変換型無線中継増幅装置では、上述のようにＣＰＵ６１、７２やモデム６２、７１を用いて監視や制御を行うことができるものの、例えば、監視や制御を行うことが必要とされる状況が限定されるようなシステムでは、更に簡易な監視制御の構成を開発することが望まれていた。
【００２２】
具体的には、例えば、上位装置である親局装置が「子局装置の異常」のみを監視することができればよい場合や、上位装置である親局装置が「子局装置をオフにすること」のみを制御することができればよい場合などのように、必要となる監視制御が限定されるような場合には、モデムを使用して親局装置と子局装置とが相互に通信を行うまでもなく、このようなモデムの機能が実質的には無駄となってしまうことがあった。
【００２３】
本発明は、このような従来の事情に鑑みなされたもので、一方の光信号通信装置から他方の光信号通信装置へ通信信号を光信号として伝送するに際して、簡易な構成により、一方の光信号通信装置から他方の光信号通信装置へ異常を通知することや制御の指示を通知することができる光信号伝送システムを提供することを目的とする。
【００２４】
【課題を解決するための手段】
上記目的を達成するため、本発明に係る光信号伝送システムでは、一方の光信号通信装置から他方の光信号通信装置へ通信信号を光信号として伝送するに際して、次のような処理を行う。
すなわち、一方の光信号通信装置では、通知信号出力手段が、他方の光信号通信装置に対する所定の要求が発生した場合に、通信信号の周波数とは異なる所定の周波数を有する通知信号を出力する。そして、一方の光信号通信装置では、光信号送信手段が、通信信号と通知信号出力手段により出力される通知信号とが重畳された信号を光信号として他方の光信号通信装置に対して送信する。
また、他方の光信号通信装置では、光信号受信手段が、一方の光信号通信装置から送信される光信号を受信する。そして、他方の光信号通信装置では、通知信号抽出手段が、光信号受信手段により受信される光信号から、所定の周波数を有する通知信号を抽出する。
【００２５】
従って、一方の光信号通信装置において他方の光信号通信装置に対する所定の要求が発生した場合には、所定の周波数を有する通知信号が一方の光信号通信装置から他方の光信号通信装置へ送信されて当該他方の光信号通信装置により抽出されるため、簡易な構成により、一方の光信号通信装置から他方の光信号通信装置へ異常を通知することや制御の指示を通知することができる。
【００２６】
ここで、一方の光信号通信装置や他方の光信号通信装置としては、種々な装置が用いられてもよく、例えば、一方の光信号通信装置と他方の光信号通信装置とで、同一の装置或いは同様な装置が用いられてもよく、又は、異なる装置が用いられてもよい。
また、例えば、一方の光信号通信装置と他方の光信号通信装置との間では、一方向の通信が行われてもよく、或いは、双方向の通信が行われてもよい。
【００２７】
また、一方の光信号通信装置と他方の光信号通信装置とは、有線或いは無線の光伝送路を介して、光信号を通信する。
また、光伝送路としては、種々なものが用いられてもよく、例えば、光ファイバのケーブルなどを用いることができる。
【００２８】
また、通信信号としては、種々な信号が用いられてもよい。なお、通信信号とは、例えば、一方の光信号通信装置から他方の光信号通信装置へ中継などのために本来的に伝送する対象となる信号のことであり、通知信号以外の任意の信号が含まれてもよい。具体的には、一例として、一方の光信号通信装置から他方の光信号通信装置へ携帯電話やページャ等の無線信号（ＲＦ信号）を中継伝送して、これに際して一方の光信号通信装置と他方の光信号通信装置との間で監視や制御を行う場合には、当該無線信号が通信信号に相当し、当該監視や当該制御を行うための信号が通知信号に相当する。
【００２９】
また、他方の光信号通信装置に対する所定の要求としては、種々なものが用いられてもよく、例えば、異常などの監視に関する情報を通知する要求や、制御に関する指示を通知することにより制御を行う要求などを用いることができる。
一構成例として、一方の光信号通信装置は子局装置であり、他方の光信号通信装置は親局装置であり、所定の要求は異常などを通知する要求である態様を用いることができる。
一構成例として、一方の光信号通信装置は親局装置であり、他方の光信号通信装置は子局装置であり、所定の要求は制御を行う要求である態様を用いることができる。
【００３０】
また、異常としては、種々なものが用いられてもよく、例えば、装置の故障や、装置の周辺の環境の悪化などを用いることができる。
また、制御としては、種々なものが用いられてもよく、例えば、電源のオン／オフの切替や、所定の処理部の制御などを用いることができる。
【００３１】
また、一構成例として、一方の光信号通信装置と他方の光信号通信装置とで、予め固定的に或いは変更可能な態様で、通知信号と所定の要求との対応付けとして同一の対応付けが設定されるような構成を用いることができる。つまり、例えば、一方の光信号通信装置と他方の光信号通信装置とに、所定の周波数を有する信号（通知信号）を発すること或いは発せられることが意味する監視や制御の内容を互いに一致させて設定することにより、一方の光信号通信装置や他方の光信号通信装置では例えば上記図４に示したようなモデム（ＭＯＤＥＭ）による変調や復調を行わなくてもよくなる。
【００３２】
また、通知信号と所定の要求との対応付けとしては、例えば、１つの対応付けが用いられてもよく、或いは、複数の対応付けが用いられてもよい。当該複数の対応付けを用いる態様としては、例えば、複数の要求のそれぞれを通知するための通知信号の周波数或いはレベルなどを、それぞれの要求毎に異ならせるような態様を用いることができる。
【００３３】
また、通知信号の周波数（通信信号の周波数とは異なる所定の周波数）としては、種々な周波数が用いられてもよい。
また、通知信号としては、種々な信号が用いられてもよく、例えば、正弦波或いは余弦波などの搬送波信号をそのまま用いることも可能である。
また、通知信号出力手段としては、一構成例として、所定の周波数を有する信号を通知信号として発振する発振器を用いて構成することが可能である。
【００３４】
また、光信号送信手段は、例えば、通信信号と通知信号のうちの通信信号のみがある場合には通信信号を光信号へ変換して送信し、通信信号と通知信号との両方がある場合には通信信号と通知信号とが重畳（多重化）された信号を光信号として送信し、通知信号のみがある場合には通知信号を光信号へ変換して送信する。
【００３５】
また、通信信号と通知信号とが重畳された信号を光信号として送信する仕方としては、例えば、通信信号と通知信号とを重畳した後に当該重畳後の信号を光信号へ変換する仕方が用いられ、或いは、通信信号を光信号へ変換するとともに通知信号を光信号へ変換した後にこれらの光信号を重畳するような仕方が用いられてもよい。
【００３６】
また、例えば、電気信号から光信号への変換では半導体レーザなどにより搬送波となる光信号を電気信号により変調することが行われ、光信号から電気信号への変換ではフォトダイオードなどにより光信号から電気信号を復調することが行われる。
【００３７】
また、通知信号抽出手段により光信号から所定の周波数を有する通知信号を抽出する仕方としては、種々な仕方が用いられてもよく、例えば、当該光信号を電気信号へ変換した後に当該変換後の電気信号からフィルタにより所定の周波数を有する通知信号を抽出するような仕方を用いることができる。
【００３８】
また、他方の光信号通信装置の通知信号抽出手段により抽出する通知信号の周波数としては、例えば、一方の光信号通信装置の通知信号出力手段により出力される通知信号の周波数が当該通知信号抽出手段に到達するまで不変である（つまり、変化しない）ような場合には当該通知信号出力手段により出力される通知信号の周波数と同一の周波数が用いられ、変化するような場合には当該変化後の周波数が用いられる。つまり、他方の光信号通信装置の通知信号抽出手段では、一方の光信号通信装置の通知信号出力手段により出力される通知信号を抽出することができればよい。
【００３９】
また、一方の光信号通信装置の通知信号出力手段により出力される通知信号の周波数や、他方の光信号通信装置の通知信号抽出手段により抽出する通知信号の周波数としては、例えば、それぞれの光信号通信装置に予め設定される。
また、通知信号抽出手段により光信号から所定の周波数を有する通知信号を抽出する場合、例えば、当該光信号に通知信号が含まれないときには通知信号は抽出されない。
【００４０】
また、他方の光信号通信装置は、通知信号抽出手段により通知信号が抽出された場合には、例えば、一方の光信号通信装置において所定の要求が発生してそれが通知されたことを認識することが可能であり、そして、このような認識に基づいて所定の動作を行うような構成とすることや、或いは、このような認識を特に行わずに通知信号抽出手段により抽出される通知信号に応じて所定の動作を行うような構成とすることが可能である。
【００４１】
一構成例として、他方の光信号通信装置は、通知信号抽出手段により通知信号が抽出されたことに応じて所定の動作を実行する所定動作実行手段を備える。
なお、通知信号が抽出されたことに応じて所定の動作を実行する態様としては、例えば、通知信号が抽出されたことを契機として所定の動作を実行するような態様が用いられる。
【００４２】
また、一構成例として、所定動作実行手段は、通知信号抽出手段により抽出される通知信号が入力されたことに応じて所定の動作を実行する回路を用いて構成される。
なお、通知信号が入力されたことに応じて所定の動作を実行する回路としては、種々な回路が用いられてもよく、例えば、通知信号のレベルが所定の閾値と比べて大きいことを契機として所定の動作がオン或いはオフとなるような回路を用いることができる。
【００４３】
また、所定の動作としては、種々なものが用いられてもよい。例えば、異常の通知を受けた場合における所定の動作としては、当該異常に対処するための処理を行う動作や、当該異常に関する情報を記憶や管理する動作や、当該異常に関する情報を出力する動作や、当該異常に関する情報をユーザ（監視者）に対して報知する動作などを用いることができる。また、例えば、制御に関する指示を受けた場合における所定の動作としては、所定の設定を行う動作や、所定の処理部に関する処理を行う動作や、装置の全体或いは一部の電源をオフやオンにする動作などを用いることができる。
【００４４】
以下で、更に、本発明に係る光信号伝送システムの構成例を示す。
一構成例として、本発明に係る光信号伝送システムでは、一方の光信号通信装置に備えられた通知信号出力手段はＣＰＵを用いて構成されており、当該ＣＰＵは所定の時間間隔毎に所定の処理を実行する。また、一方の光信号通信装置は、当該ＣＰＵにより実行される所定の処理が非実行であったこと（つまり、実行されなかったこと）を検出した場合に、他方の光信号通信装置に対する所定の要求が発生したとみなして、通信信号の周波数とは異なる所定の周波数を有する通知信号を出力するＣＰＵ異常発生時用の通知信号出力手段を備えた。
【００４５】
従って、ＣＰＵを用いて構成される通知信号出力手段に異常が生じて当該ＣＰＵにより所定の処理が行われなくなった場合には、例えばＣＰＵを用いずに構成されたＣＰＵ異常発生時用の通知信号出力手段により通知信号が出力されるため、ＣＰＵを用いて構成される通知信号出力手段の異常も含めて、通知信号により通知を行うことが可能となる。
【００４６】
ここで、所定の時間間隔としては、種々な時間間隔が用いられてもよく、例えば、一定の周期が用いられる。
また、所定の処理としては、種々な処理が用いられてもよく、例えば、タイマをリセットする処理を用いることができ、この場合、タイマが所定の長さ（所定の時間間隔を超える長さ）の時間をカウントした場合にＣＰＵによるリセット処理が実行されなかったとみなすことができる。
【００４７】
また、ＣＰＵを用いて構成される通知信号出力手段により出力される通知信号と、ＣＰＵ異常発生時用の通知信号出力手段により出力される通知信号としては、例えば、同一の信号が用いられてもよく、或いは、周波数或いはレベルなどが異なる信号が用いられてもよい。
【００４８】
また、一構成例として、本発明に係る光信号伝送システムでは、移動体通信システムにおいて基地局装置と移動局装置との間で通信される通信信号を、一方の光信号通信装置と他方の光信号通信装置との間で中継する。
ここで、移動体通信システムとしては、種々なシステムが用いられてもよく、例えば、携帯電話システムや、簡易型携帯電話システム（ＰＨＳ：Ｐｅｒｓｏｎａｌ  Ｈａｎｄｙ  ｐｈｏｎｅ  Ｓｙｓｔｅｍ）や、ページャシステムなどを用いることができる。
【００４９】
なお、例えば、一方の光信号通信装置と他方の光信号通信装置とのいずれか一方の装置は基地局装置と接続され、他方の装置は無線通信の不感地などに設けられて、当該不感地に存する１又は複数の端末装置と基地局装置との間の通信を可能とする。
【００５０】
また、一構成例として、本発明に係る光信号伝送システムでは、一方の光信号通信装置は、中継対象となる通信信号を入力する通信信号入力手段を備えた。そして、一方の光信号通信装置に備えられた光信号送信手段は、通知信号出力手段により通知信号が出力される場合には通信信号入力手段により入力される通信信号と通知信号出力手段により出力される通知信号とが重畳された信号を電気信号から光信号へ変換して他方の光信号通信装置に対して送信し、他の場合（つまり、通知信号が出力されない場合）には通信信号入力手段により入力される通信信号（例えば、当該通信信号のみ）を電気信号から光信号へ変換して他方の光信号通信装置に対して送信する。
【００５１】
また、他方の光信号通信装置は、光信号受信手段により受信される光信号を電気信号へ変換する電気信号変換手段を備えた。そして、他方の光信号通信装置に備えられた通知信号抽出手段は、電気信号変換手段により変換される電気信号から所定の周波数を有する通知信号を抽出する。
ここで、通信信号入力手段としては、種々なものが用いられてもよく、例えば、有線のケーブルを介して通信信号を受信する構成や、アンテナを用いて通信信号を無線受信する構成を用いることができる。
【００５２】
また、一構成例として、他方の光信号通信装置は、一方の光信号通信装置から光信号として受信される通信信号を出力する通信信号出力手段を備えた。
ここで、通信信号出力手段としては、種々なものが用いられてもよく、例えば、有線のケーブルを介して通信信号を送信する構成や、アンテナを用いて通信信号を無線送信する構成を用いることができる。
【００５３】
【発明の実施の形態】
本発明に係る一実施例を図面を参照して説明する。
図１には、本発明に係る光信号伝送システムの構成例を示してある。本例の光信号伝送システムは、例えば上記図３に示したような光変換型無線中継増幅装置に本発明を適用したような構成となっており、このため、上記図３を用いて説明したのと同様な構成や動作については説明を省略或いは簡略化する。
【００５４】
上記図１に示されるように、本例の光信号伝送システムは、親局装置１と子局装置２とを下りの光ファイバケーブル３及び上りの光ファイバケーブル４を介して接続して構成されている。
また、親局装置１は、携帯電話システムなどの基地局装置と通信可能に接続されている。また、子局装置２は、当該携帯電話システムなどにおける無線信号の不感地などに設置されており、当該不感地に存する１又は複数の携帯電話端末装置などとの間で通信することが可能である。そして、本例では、基地局装置から端末装置への下りの通信信号である無線周波数帯の信号（ＲＦ信号）を親局装置１から子局装置２へ光伝送して中継を行い、端末装置から基地局装置への上りの通信信号である無線周波数帯の信号（ＲＦ信号）を子局装置２から親局装置１へ光伝送して中継を行う。
【００５５】
親局装置１には、ＣＰＵ１１と、発振回路１２と、電気−光変換器（Ｅ／Ｏ）１３と、光−電気変換器（Ｏ／Ｅ）１４と、フィルタ１５と、周波数レベル検知回路１６が備えられている。また、図示は省略するが、親局装置１には、例えば上記図３に示したのと同様な下り通信用の帯域通過フィルタ（ＢＰＦ）及び増幅器や上り通信用の増幅器及び帯域通過フィルタ（ＢＰＦ）が備えられている。
【００５６】
子局装置２には、光−電気変換器（Ｏ／Ｅ）２１と、フィルタ２２と、周波数レベル検知回路２３と、ＣＰＵ２４と、発振回路２５と、電気−光変換器（Ｅ／Ｏ）２６が備えられている。また、図示は省略するが、子局装置２には、例えば上記図３に示したのと同様な下り通信用の増幅器及び帯域通過フィルタ（ＢＰＦ）や上り通信用の帯域通過フィルタ（ＢＰＦ）及び増幅器が備えられている。
【００５７】
親局装置１から子局装置２に対して制御を行うための信号（制御通知信号）を伝送する構成を説明する。
親局装置１のＣＰＵ１１は、所定の制御プログラムを実行することにより、種々な処理や制御を行う。本例では、ＣＰＵ１１は、子局装置２に対する制御の要求が発生した場合に、発振回路１２により所定の信号を発振させるための制御信号（所定信号発振制御信号）を当該発振回路１２に対して出力する。
【００５８】
親局装置１の発振回路１２は、ＣＰＵ１１から所定信号発振制御信号が入力された場合に、所定の周波数の信号を制御通知信号として発振してＥ／Ｏ１３へ出力する。本例では、当該所定の周波数としては、本来伝送するＲＦ信号の周波数帯以外の周波数が用いられている。
親局装置１のＥ／Ｏ１３は、例えばＢＰＦや増幅器により処理された下りの通信信号（ＲＦ信号）と発振回路１２からの制御通知信号を入力し、当該通信信号と当該制御通知信号とが重畳された信号を電気信号から光信号へ変換して下りの光ファイバケーブル３へ送信出力する。
【００５９】
子局装置２のＯ／Ｅ２１は、親局装置１から送信される光信号を下りの光ファイバケーブル３を介して受信し、受信した光信号を電気信号へ変換し、当該変換後の電気信号を例えば増幅器及びＢＰＦの経路へ出力するとともに、当該変換後の電気信号をフィルタ２２へ出力する。
【００６０】
子局装置２のフィルタ２２は、Ｏ／Ｅ２１から入力される電気信号から、親局装置１の発振回路１２から出力される制御通知信号の周波数以外の周波数の信号を取り除くことを行い、当該取り除いた結果を周波数レベル検知回路２３へ出力する。ここで、フィルタ２２では、Ｏ／Ｅ２１から入力される電気信号に制御通知信号が含まれる場合には、当該制御通知信号が抽出されて出力される。
【００６１】
子局装置２の周波数レベル検知回路２３は、フィルタ２２から入力される信号のレベルを検知し、当該検知結果をＣＰＵ２４に通知する。本例では、親局装置１から子局装置２へ制御通知信号が伝送された場合には周波数レベル検知回路２３によりフィルタ２２からの入力信号のレベルが所定の閾値を超える（或いは、所定の閾値以上である）ことが検出され、親局装置１から子局装置２へ制御通知信号が伝送されていない場合には周波数レベル検知回路２３によりフィルタ２２からの入力信号のレベルが所定の閾値以下である（或いは、所定の閾値未満である）ことが検出される。
【００６２】
子局装置２のＣＰＵ２４は、所定の制御プログラムを実行することにより、種々な処理や制御を行う。本例では、ＣＰＵ２４は、周波数レベル検知回路２３からの検知結果に基づいて、親局装置１からの制御通知信号が受信された場合には当該制御通知信号に対応して予め設定された所定の動作を行う。
【００６３】
子局装置２から親局装置１に対して異常の通知を行うための信号（異常通知信号）を伝送する構成を説明する。
子局装置２のＣＰＵ２４は、親局装置１に対する異常通知の要求が発生した場合に、発振回路２５により所定の信号を発振させるための制御信号（所定信号発振制御信号）を当該発振回路２５に対して出力する。
【００６４】
子局装置２の発振回路２５は、ＣＰＵ２４から所定信号発振制御信号が入力された場合に、所定の周波数の信号を異常通知信号として発振してＥ／Ｏ２６へ出力する。本例では、当該所定の周波数としては、本来伝送するＲＦ信号の周波数帯以外の周波数が用いられている。なお、親局装置１から子局装置２へ伝送される制御通知信号の周波数と子局装置２から親局装置１へ伝送される異常通知信号の周波数としては、例えば、同一の周波数が用いられてもよく、或いは、異なる周波数が用いられてもよい。
【００６５】
子局装置２のＥ／Ｏ２６は、例えばＢＰＦや増幅器により処理された上りの通信信号（ＲＦ信号）と発振回路２５からの異常通知信号を入力し、当該通信信号と当該異常通知信号とが重畳された信号を電気信号から光信号へ変換して上りの光ファイバケーブル４へ送信出力する。
【００６６】
親局装置１のＯ／Ｅ１４は、子局装置２から送信される光信号を上りの光ファイバケーブル４を介して受信し、受信した光信号を電気信号へ変換し、当該変換後の電気信号を例えば増幅器及びＢＰＦの経路へ出力するとともに、当該変換後の電気信号をフィルタ１５へ出力する。
【００６７】
親局装置１のフィルタ１５は、Ｏ／Ｅ１４から入力される電気信号から、子局装置２の発振回路２５から出力される異常通知信号の周波数以外の周波数の信号を取り除くことを行い、当該取り除いた結果を周波数レベル検知回路１６へ出力する。ここで、フィルタ１５では、Ｏ／Ｅ１４から入力される電気信号に異常通知信号が含まれる場合には、当該異常通知信号が抽出されて出力される。
【００６８】
親局装置１の周波数レベル検知回路１６は、フィルタ１５から入力される信号のレベルを検知し、当該検知結果をＣＰＵ１１に通知する。本例では、子局装置２から親局装置１へ異常通知信号が伝送された場合には周波数レベル検知回路１６によりフィルタ１５からの入力信号のレベルが所定の閾値を超える（或いは、所定の閾値以上である）ことが検出され、子局装置２から親局装置１へ異常通知信号が伝送されていない場合には周波数レベル検知回路１６によりフィルタ１５からの入力信号のレベルが所定の閾値以下である（或いは、所定の閾値未満である）ことが検出される。
【００６９】
親局装置１のＣＰＵ１１は、周波数レベル検知回路１６からの検知結果に基づいて、子局装置２からの異常通知信号が受信された場合には当該異常通知信号に対応して予め設定された所定の動作を行う。
【００７０】
次に、図２には、親局装置１に備えられるフィルタ１５及び周波数レベル検知回路１６として、或いは、子局装置２に備えられるフィルタ２２及び周波数レベル検知回路２３として、用いることが可能な回路の構成例を示してある。
同図の回路では、Ｏ／Ｅ１４、２１としてフォトダイオード（ＰＤ）が用いられている。
【００７１】
また、フィルタ１５、２２として、コンデンサＣ１とコイルＬ１から構成される低域通過フィルタ（ＬＰＦ：Ｌｏｗ  Ｐａｓｓ  Ｆｉｌｔｅｒ）が用いられている。本例では、通信信号であるＲＦ信号の周波数と比べて低い周波数が異常通知信号や制御通知信号の周波数として用いられており、低域通過フィルタでは比較的低い周波数を有する異常通知信号や制御通知信号を通過させる一方で比較的高い周波数を有する通信信号（ＲＦ信号）を低減させる（フィルタ特性に応じて取り除く）。
【００７２】
また、周波数レベル検知回路１６、２３は、上記図２に示されるように、コンデンサＣ１１〜Ｃ１４や、抵抗Ｒ１〜Ｒ９や、演算増幅器（オペアンプ）Ｏ１、Ｏ２や、ダイオードＤ１、Ｄ２や、トランジスタＴ１を組み合わせて構成されている。概略的には、周波数レベル検知回路１６、２３は、フィルタ１５、２２の側からＣＰＵ１１、２４の側への順番で言うと、信号の増幅及びフィルタリングを行う回路部と、信号を交流（ＡＣ）から直流（ＤＣ）へ変換する回路部と、信号のレベルを検知する比較器（コンパレータ）を有する回路部を組み合わせて構成されている。
【００７３】
そして、上記図２に示した周波数レベル検知回路１６、２３では、例えば、異常通知信号や制御通知信号が受信されていないときにはレベルがハイ（Ｈ）となる信号がＣＰＵ１１、２４の所定の入力ポートへ出力され、異常通知信号や制御通知信号が受信されたときにはレベルがロウ（Ｌ）となる信号がＣＰＵ１１、２４の所定の入力ポートへ出力される。ＣＰＵ１１、２４は、当該所定の入力ポートから入力される信号のレベルの低高（Ｌか或いはＨか）により、異常通知信号や制御通知信号の受信の有無（受信されたか或いは受信されていないか）を判定することができる。
【００７４】
次に、本例の光信号伝送システムにより行われる監視や制御の動作の一例を示す。
まず、子局装置２では、ＣＰＵ２４が装置内の異常監視を行っている。そして、ＣＰＵ２４は、異常を発見した場合には、発振回路２５を起動させて特定の周波数の異常通知信号ｆｘを送出させ、これにより、当該異常通知信号ｆｘがＥ／Ｏ２６において上りの通信信号と重畳されて光信号として上りの光ファイバケーブル４中を伝送する。
【００７５】
すると、当該光信号を受信する側となる親局装置１では、Ｏ／Ｅ１４により得られる電流をフィルタ１５へ出力し、異常通知信号ｆｘを抽出するために必要な周波数帯域のみを通過させる当該フィルタ１５により当該電流から当該周波数信号の成分を抽出する。そして、周波数レベル検知回路１６が当該抽出された周波数信号成分のレベルを検知し、ＣＰＵ１１が当該検知結果に基づいて異常通知信号が受信されたことを判定した場合には子局装置２に異常が生じたことを認識する。
【００７６】
次に、親局装置１では、上記のようにして子局装置２に異常が生じたことを認識すると、ＣＰＵ１１は、発振回路１２を起動させて特定の周波数の制御通知信号ｆｘを送出させ、これにより、当該制御通知信号ｆｘがＥ／Ｏ１３において下りの通信信号と重畳されて光信号として下りの光ファイバケーブル３中を伝送する。
【００７７】
すると、当該光信号を受信する側となる子局装置２では、Ｏ／Ｅ２１により得られる電流をフィルタ２２へ出力し、制御通知信号ｆｘを抽出するために必要な周波数帯域のみを通過させる当該フィルタ２２により当該電流から当該周波数信号の成分を抽出する。そして、周波数レベル検知回路２３が当該抽出された周波数信号成分のレベルを検知し、当該検知結果を表す信号をＣＰＵ２４へ出力する。
【００７８】
子局装置２では、例えば、周波数レベル検知回路２３から出力される信号が、当該子局装置２のリセットを行うための装置リセット信号などとして用いられる回路構成となっており、これにより、親局装置１から制御通知信号が受信された場合には装置リセット信号などがオンとなって当該子局装置２のリセットなどが行われる。
【００７９】
このような監視や制御の方式により、本例の光信号伝送システムでは、親局装置１が子局装置２の異常を監視することや、親局装置１が子局装置２を制御することを、例えば親局装置１や子局装置２に上記図４に示したようなモデム（ＭＯＤＥＭ）を備えることや当該モデムを制御することを行わずとも、実現することができる。
【００８０】
また、本例の光信号伝送システムでは、例えば子局装置２のＣＰＵ２４自体に異常が発生した場合には当該ＣＰＵ２４により親局装置１に対して異常通知信号を送出する指示を出すことができないが、次のような構成により、当該異常を検出及び通知することが可能である。
すなわち、例えばウオッチドックタイマなどを使用して、子局装置２のＣＰＵ２４が定期的にタイマをクリアしなければ発振回路２５が起動するような回路を構成することにより、当該ＣＰＵ２４の異常を検出して当該検出結果を親局装置１に対して通知することが可能である。
【００８１】
以上のように、本例の光信号伝送システムでは、親局装置１と子局装置２とのそれぞれにＥ／Ｏ１３、２６及びＯ／Ｅ１４、２１を備えて両装置１、２の間を光ファイバケーブル３、４で結び、一方の装置１、２が伝送すべき電気信号を光信号へ変換して送信して他方の装置２、１が受信した光信号を電気信号へ変換して元の電気信号を取り出す伝送を双方向で行う構成において、子局装置２が装置の状態を監視して当該監視に関する情報（装置状態監視情報）を光ファイバ網を利用して親局装置１に対して伝送することや、親局装置１が子局装置２からの装置状態監視情報に応じて子局装置２を制御するための情報（子局装置制御情報）を光ファイバ網を利用して子局装置２に対して伝送することが行われる。
【００８２】
具体的には、本例の光信号伝送システムでは、光信号通信装置（本例では、親局装置１、子局装置２）の間における監視制御信号の伝送方式として、伝送される通信信号（ＲＦ信号）の周波数以外の例えば低周波数などの周波数を使用して、送信側が当該周波数の監視通知信号や制御通知信号を光ファイバ網へ送信し、受信側が光ファイバ網を通して当該周波数の信号のレベルを検知することにより、監視や制御が行われる。
【００８３】
従って、本例の光信号伝送システムでは、例えば上記図４に示したようなモデム（ＭＯＤＥＭ）を備えて当該モデムを制御するような構成を用いずに、簡易な構成により、親局装置１と子局装置２との間で監視結果の通知や制御指示の通知を行うことができ、これにより、コストの低減や、監視や制御に関する構成の簡易化を実現することができる。また、本例の光信号伝送システムでは、例えば、異常通知の要求や制御通知の要求が発生した場合にのみ異常通知信号や制御通知信号が送信されればよく、非常に効率的である。
【００８４】
例えば、上位装置である親局装置１が「子局装置２の異常」のみを監視することができればよい場合には、子局装置２は自己装置（当該子局装置２）の各部の状態を監視して何らかの異常が生じたとき（異常通知の要求が発生したとき）に所定の異常通知信号を親局装置１に対して光ファイバ網を介して送出できればよく、親局装置１は子局装置２からの異常通知信号を検出することができればよい。
【００８５】
また、例えば、上位装置である親局装置１が「子局装置２をオフにすること」のみを制御することができればよい場合には、親局装置１は子局装置２に対する制御の要求が発生したときに所定の制御通知信号を子局装置２に対して光ファイバ網を介して送出できればよく、子局装置２は親局装置１からの制御通知信号を検出することができればよい。
【００８６】
なお、本例の光信号伝送システムでは、親局装置１や子局装置２により光信号通信装置が構成されており、下りの光ファイバケーブル３や上りの光ファイバケーブル４により光伝送路が構成されている。
また、本例の親局装置１や子局装置２では、ＣＰＵ１１、２４が指示を出して発振回路１２、２５が通知信号を出力する機能により通知信号出力手段が構成されており、Ｅ／Ｏ１３、２６が通知信号や通信信号を光信号として送信する機能により光信号送信手段が構成されている。
【００８７】
また、本例の親局装置１や子局装置２では、Ｏ／Ｅ１４、２１の機能により光信号受信手段が構成されており、フィルタ１５、２２の機能や周波数レベル検知回路１６、２３の機能により通知信号抽出手段が構成されている。
また、本例の親局装置１や子局装置２では、通知信号に応じて所定の動作を実行するＣＰＵ１１、２４などの機能により所定動作実行手段が構成されている。
【００８８】
ここで、本発明に係る光信号伝送システムや光信号通信装置などの構成としては、必ずしも以上に示したものに限られず、種々な構成が用いられてもよい。なお、本発明は、例えば本発明に係る処理を実行する方法或いは方式や、このような方法や方式を実現するためのプログラムなどとして提供することも可能である。
また、本発明の適用分野としては、必ずしも以上に示したものに限られず、本発明は、種々な分野に適用することが可能なものである。
【００８９】
また、本発明に係る光信号伝送システムや光信号通信装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【００９０】
【発明の効果】
以上説明したように、本発明に係る光信号伝送システムによると、一方の光信号通信装置から他方の光信号通信装置へ通信信号を光信号として伝送する構成において、一方の光信号通信装置では、他方の光信号通信装置に対する所定の要求が発生した場合に通信信号の周波数とは異なる所定の周波数を有する通知信号を出力し、通信信号と当該出力される通知信号とが重畳された信号を光信号として他方の光信号通信装置に対して送信し、他方の光信号通信装置では、一方の光信号通信装置から送信される光信号を受信し、当該受信される光信号から所定の周波数を有する通知信号を抽出するようにしたため、簡易な構成により、一方の光信号通信装置から他方の光信号通信装置へ異常を通知することや制御の指示を通知することができ、効率的な監視や制御を実現することができる。
【図面の簡単な説明】
【図１】本発明に係る光信号伝送システムの一例を示す図である。
【図２】フィルタ及び周波数レベル検知回路の構成例を示す図である。
【図３】従来例に係る光信号伝送システムの一例を示す図である。
【図４】従来例に係る光信号伝送システムにおいて監視を行うための構成例を示す図である。
【符号の説明】
１・・親局装置、  ２・・子局装置、  ３、４・・光ファイバケーブル、
１１、２４・・ＣＰＵ、  １２、２５・・発振回路、
１３、２６・・電気−光変換器（Ｅ／Ｏ）、
１４、２１・・光−電気変換器（Ｏ／Ｅ）、  １５、２２・・フィルタ、
１６、２３・・周波数レベル検知回路、
Ｃ１、Ｃ１１〜Ｃ１４・・コンデンサ、  Ｌ１・・コイル、
Ｒ１〜Ｒ９・・抵抗、  Ｏ１、Ｏ２・・演算増幅器、
Ｄ１、Ｄ２・・ダイオード、  Ｔ１・・トランジスタ、
【図１】
2004193918.tif 000003
【図２】
2004193918.tif 000004
【図３】
2004193918.tif 000005
【図４】
2004193918.tif 000006